(57)【特許請求の範囲】
【請求項１】
外側を備える容器と前記容器の前記外側に配置された少なくとも一つの出口部材とを有する組立体であって、使用中には前記容器の内部空間が供給されるべき流体にて充填され、前記容器の前記内部空間内の圧力は前記出口部材を経て流体を供給し得る圧力であり、前記組立体は更に前記出口部材に接続された圧力制御装置を含み、前記圧力制御装置は流入口と、流出口部材と、前記流入口と前記流出口部材との間にてハウジング内に延在する流体通路とが設けられたハウジングを含み、前記流入口は前記容器の前記内部空間と流体の流通可能に接続され、前記流出口部材は前記出口部材と流体の流通可能に接続され、前記圧力制御装置は更に前記流体通路を開閉する制御可能なシールと、第一の位置と第二の位置との間に移動可能に前記ハウジング内に配置された圧力センサ要素とを含み、前記圧力センサ要素は前記第一の位置にあるときには前記ハウジング内の前記流体通路を開くよう前記制御可能なシールを制御し、前記第二の位置にあるときには前記ハウジング内の前記流体通路を閉ざすよう前記制御可能なシールを制御し、また前記圧力センサ要素は一方に於いては前記制御可能なシールよりも下流側の前記流体通路内の圧力に曝され、他方に於いては使用中に所定の圧力を決定する所定の力に曝され、前記圧力センサ要素は使用中に前記制御可能なシールよりも下流側の前記流体通路内の圧力が前記所定の力により決定される前記所定の圧力よりも低い値になると前記第一の位置の方向へ移動し、前記制御可能なシールよりも下流側の前記流体通路内の圧力が前記所定の力により決定される前記所定の圧力よりも高い値になると前記第二の位置の方向へ移動し、前記圧力制御装置は前記所定の力を発生するためのガスが充填された気密の室部材を含む組立体において、
前記圧力制御装置は、前記容器の前記内部空間内の圧力とは独立に該圧力よりも低い所定の一定の圧力にて前記圧力制御装置を経て前記出口部材へ流体を供給するよう構成され、前記圧力センサ要素は前記室部材の軸線方向に移動可能に前記室部材内に配置されたプランジャを含み、前記プランジャは前記制御可能なシールの位置に於ける前記流体通路の方向と平行な方向に沿って前記第一の位置と前記第二の位置との間に移動可能であり、前記プランジャおよび前記室部材により画定された空間は前記所定の力を発生するための前記ガスにて充填されており、前記圧力制御装置は前記出口部材の近傍に隣接して配置されていることを特徴とする組立体。
【請求項２】
前記圧力制御装置の前記流入口は前記圧力制御装置が前記出口部材とディップチューブとの間に配置されるようディップチューブに接続されていることを特徴とする請求項１に記載の組立体。
【請求項３】
前記出口部材は前記容器の上端側に配置されていることを特徴とする請求項１又は２に記載の組立体。
【請求項４】
前記圧力制御装置は前記容器の前記内部空間内に配置されていることを特徴とする請求項１乃至３の何れかに記載の組立体。
【請求項５】
前記圧力制御装置は前記容器外に配置されていることを特徴とする請求項１乃至３の何れかに記載の組立体。
【請求項６】
前記気密の室部材は金属にて形成されていることを特徴とする請求項１乃至５の何れかに記載の組立体。
【請求項７】
前記出口部材は前記容器の外側に於いて前記出口部材を開閉する遮断弁を含んでいることを特徴とする請求項１乃至６の何れかに記載の組立体。
【請求項８】
前記出口部材は前記流出口部材に近接して前記圧力制御装置の前記ハウジングに取り付けられていることを特徴とする請求項１乃至７の何れかに記載の組立体。
【請求項９】
前記出口部材は前記圧力制御装置の上端に配置されていることを特徴とする請求項１乃至８の何れかに記載の組立体。
【請求項１０】
前記圧力制御装置は前記所定の力の一部を発生するばねを含み、前記ばねは前記プランジャ及び前記室部材により郭定された前記空間内に配置され、前記ばねは前記プランジャを前記第一の位置の方向へ付勢していることを特徴とする請求項１乃至９の何れかに記載の組立体。
【請求項１１】
前記圧力制御装置はゴムリングの如き少なくとも一つのシール要素を含み、前記制御可能なシールは前記プランジャに接続された棒状の要素を含んでおり、前記シール要素は前記棒状の要素の周りに延在し且つ前記圧力制御装置のハウジングに接続されており、前記流体通路は前記シール要素を貫通して延在しており、前記シール要素及び前記棒状の要素は前記第一の位置に於いては前記流体通路を開き、前記第二の位置に於いては前記流体通路を閉ざすことを特徴とする請求項１乃至１０の何れかに記載の組立体。
【請求項１２】
前記棒状の要素は該棒状の要素に沿って前記流体通路の方向と平行な方向に前記第一の位置と前記第二の位置との間に移動可能であることを特徴とする請求項１１に記載の組立体。
【請求項１３】
前記容器は例えばスプレー缶又はバッグインボックスであることを特徴とする請求項１乃至１２の何れかに記載の組立体。
【請求項１４】
前記流体は粘性を有していてもいなくてもよいガス又は液体であることを特徴とする請求項１乃至１３の何れかに記載の組立体。
【請求項１５】
使用時には前記容器の前記内部空間は前記容器の前記内部空間内の圧力を確保するための不活性のガスによっても充填されることを特徴とする請求項１乃至１４の何れかに記載の組立体。
【請求項１６】
前記空間内のガス圧は大気圧よりも高いことを特徴とする請求項１乃至１５の何れかに記載の組立体。
【請求項１７】
前記プランジャは、前記第一の位置と前記第二の位置との間において前記流入口から前記流出口部材の方向と平行な方向に移動可能であることを特徴とする請求項１乃至１６の何れかに記載の組立体。
【請求項１８】
前記制御可能なシールは該シールの位置に於ける前記流体通路と平行な方向に移動可能であることを特徴とする請求項１乃至１８の何れかに記載の組立体。
【請求項１９】
前記プランジャと前記室部材の内壁との間にはシール要素が設けられていることを特徴とする請求項１乃至１８の何れかに記載の組立体。
【請求項２０】
前記シール要素は該シール要素が前記室部材に対し相対的に移動可能であるよう前記プランジャに取り付けられていることを特徴とする請求項１９に記載の組立体。
【請求項２１】
請求項１乃至２０の何れかに記載の組立体に使用されるよう構成された圧力制御装置。
【発明の詳細な説明】
【０００１】
本発明は容器と少なくとも一つの出口部材とを有する組立体に係わり、使用中には容器の内部空間が供給されるべき流体にて充填され、容器の内部空間内の圧力は出口部材を経て流体を供給し得る圧力であり、組立体は更に容器の内部空間内の圧力とは独立に該圧力よりも低い所定の一定の圧力にて圧力制御装置を経て出口部材へ流体を供給し得るよう、出口部材に近接して出口部材に接続された圧力制御装置を含み、圧力制御装置は流入口と、流出口部材と、流入口と流出口部材との間にてハウジング内に延在する流体通路とが設けられたハウジングを含み、流入口は容器の内部空間と流体の流通可能に接続され、流出口部材は出口部材と流体の流通可能に接続され、圧力制御装置は出口部材の近傍に配置され、更に流体通路を開閉する制御可能なシールと、第一の位置と第二の位置との間に移動可能にハウジング内に配置された圧力センサ要素とを含み、圧力センサ要素は第一の位置にあるときにはハウジング内の流体通路を開くよう制御可能なシールを制御し、第二の位置にあるときにはハウジング内の流体通路を閉ざすよう制御可能なシールを制御し、また圧力センサ要素は一方に於いては制御可能なシールよりも下流側の流体通路内の圧力に曝され、他方に於いては使用中に前記所定の圧力を決定する所定の力に曝され、圧力センサ要素は制御可能なシールよりも下流側の流体通路内の圧力が所定の力により決定される所定の圧力よりも低い値になると第一の位置の方向へ移動し、制御可能なシールよりも下流側の流体通路内の圧力が所定の力により決定される所定の圧力よりも高い値になると第二の位置の方向へ移動する。
【０００２】
かかる組立体自体は公知である。例えばスプレー缶、供給されるべき流体にて充填された容器やバッグインボックスがある。流体が液体である場合には、液体は粘性の液体であってもよい。本願に於いては、「流体」はクリーム、ペースト、ゲル、粉末物質、これらの組合せをも意味する。
【０００３】
公知の例は、噴霧状の液体を供給するスプレー缶、ビールの如き液体を供給する容器、濃縮コーヒーやケチャップ等の如き摂取に適した製品を供給するバッグインボックスである。
【０００４】
従って本発明は、液体やガスや粉末にて充填された容器であって、供給されるべき製品を貯容する容器の内部空間が製品を供給し得るよう加圧された容器に係わる。内部空間を加圧するために、例えば窒素の如き不活性の推進剤が使用されてよい。
【０００５】
上記前提要件項に記載された型式のエアゾル用のスプレーの形態をなす一つの装置がＥＰ−Ａ−０８２６６０８に記載されている。この公知の装置に於いては、圧力センサ要素には外気と連通する室部材が設けられ、室部材内には前記所定の力を発生するばねが配置されている。また室部材内には該室部材の軸線方向に移動可能なダイヤフラムが配置されている。ばねは室部材の内側に於いてダイヤフラムの第一の側を押圧している。またダイヤフラムの第一の側とは反対の側であるダイヤフラムの第二の側に於いては、ピンがダイヤフラムに取り付けられており、ピンはダイヤフラムが上下動すると流体通路を開閉するようになっている。ダイヤフラムは第二の側に於いて流路内の圧力に曝されている。
【０００６】
この公知の装置の一つの問題は、それが圧力制御時に正確に作動しないということである。本発明の知見によれば、この公知の装置に於いては、ダイヤフラムもガス圧の制御に影響を及ぼす。ダイヤフラムはある程度の剛性を有し、移動の自由度には限度がある。更にばねによりダイヤフラムに及ぼされる基準の力は不正確である。この基準の力は圧力制御装置により設定される圧力を決定する。更にこの設定される圧力はダイヤフラムが曝される外部の大気圧に依存する。
【０００７】
本発明の目的はこの問題を解消することであり、本発明は、圧力制御装置が気密の室部材を含み、圧力センサ要素は第一の位置と第二の位置との間に室部材の軸線方向に移動可能に室部材内に配置されたプランジャを含み、プランジャ及び室部材により郭定された空間は前記所定の力を発生するためのガスにて充填されており、プランジャは制御可能なシールの位置に於ける流体通路の方向と平行な方向に沿って第一の位置と第二の位置との間に移動可能であることを特徴としている。
【０００８】
プランジャの位置は流体通路内の圧力及び室部材内の圧力によってのみ決定されるので、非常に正確な制御が達成される。更に第一の位置と第二の位置との間に於けるプランジャの位置は、プランジャが曝される力の合計に悪影響を及ぼさない。このことは圧力の制御が非常に正確に達成されることを意味する。
【０００９】
プランジャは制御可能なシールの位置に於ける流体通路の方向に沿って第一の位置と第二の位置との間に移動可能であるので、流体の流れによりプランジャに作用する力はプランジャの移動時にもプランジャとハウジングとの間に摩擦を発生させない。また本発明の組立体の現実的な実施の形態によれば、プランジャは流入口より流出口部材へ向かう方向と平行な方向にて第一の位置と第二の位置との間に移動可能である。制御可能なシールは該シールの位置に於ける流体通路に平行な方向に移動可能であることが好ましい。このことは、制御可能なシール若しくはプランジャに作用する流体の流れからの力によっては、プランジャ若しくは制御可能なシールが第一の位置と第二の位置との間に移動する際にもプランジャ若しくは制御可能なシールとハウジングとの間に摩擦が発生されないという利点を有する。容器は実際には９０％まで流体にて充填される。残りの１０％は容器内を高圧にするための不活性のガスにて充填される。この高圧は、該高圧よりも低い所定の一定の圧力を発生させる十分な圧力が常に存在するよう、比較的高い圧力に選定されることが好ましい。しかし容器は９５％まで流体にて充填されてもよい。その場合には残りの５％は高圧を確保するための不活性のガスにて充填される。この高圧は容器が９０％まで流体にて充填される場合の高圧よりも高い値に選定されてよい。容器内の流体の量が０まで低下しても、不活性のガスは所定の一定の圧力を確保するに十分な圧力を容器内に発生する。
【００１０】
特に圧力制御装置は容器の内部空間内に配置される。しかし圧力制御装置は容器外に設けられてもよい。一つの用途はビールの供給である。その場合には組立体はそれ自身公知の装置へ所定の一定の圧力にて不活性のガスを供給するために使用される。この装置は不活性のガスの供給源を使用してビールにて充填された他の容器よりビールを取り出す。この例に於いては組立体の出口部材は、ビールを供給する公知の装置へ所定の圧力にて不活性のガスを供給するホースを接続することができる連結装置を含んでいてよい。更に出口部材は該出口部材を開閉する遮断弁を含んでいてよい。遮断弁は例えば出口部材がビールを供給する装置へ不活性のガスを供給するホースに接続されると開弁される。
【００１１】
従って本発明によれば、圧力制御装置は容器の内部及び外部の何れに配置されてもよい。
【００１２】
特に気密の室部材は金属にて形成される。このことにより、ガスが室部材より漏洩する虞れが低減され、従って圧力制御装置の精度が長期間に亘り保証される。
【００１３】
容器の外部に於いて出口部材には出口部材を開閉する遮断弁が設けられてもよい。遮断弁は液体を霧化する比較的小さい孔を有するそれ自身公知のプッシュボタンよりなっていてよい。その場合プッシュボタンはスプレーヘッドを形成する。容器は缶であってよい。
【００１４】
一つの好ましい実施の形態によれば、圧力制御装置はゴムリングの如き少なくとも一つのシール要素を含み、制御可能なシールは室部材及びプランジャにより郭定された空間の外側に於いてプランジャに接続された棒状の要素を含んでおり、第一の位置に於いては棒状の要素及びシール要素は流体通路を開き、第二の位置に於いては棒状の要素及びシール要素は流体通路を閉ざす。棒状の要素は該棒状の要素に沿って流体通路の方向に平行な方向に第一の位置と第二の位置との間に移動可能である。かくして上述の如く摩擦が回避される。他の一つの利点は、室部材の壁を郭定し固定されてもされなくてもよいシリンダを使用して圧力制御装置を組み立てることができるということである。既知の系が一定の値により拘束される。
【００１５】
またＥＰ−Ａ−０９３１７３４には圧力制御装置が記載されている。しかしこの圧力制御装置には気密の室部材は設けられていない。この圧力制御装置はその代わりに外界と連通する室部材を含み、該室部材内には追加の力を確保するためのばねが配置されている。
【００１６】
またＥＰ−Ａ−０５８３８２５にも圧力制御装置が記載されている。しかしこの圧力制御装置はディップチューブ内に配置されている。更にこの圧力制御装置は本発明の場合とは異なり、流入口より流出口部材へ向かう方向に垂直な方向に移動可能なプランジャを含んでいる。このことは、流体通路の開閉が非常に不正確に行われることを意味する。またこの圧力制御装置は封止シールの位置に於ける流体通路の方向に垂直な方向に移動可能な封止シールを含み、このことは好ましくない。
【００１７】
以下に添付の図面を参照して本発明を更に説明する。
【００１８】
図１の（ａ）に於いて、符号１は本発明による組立体を示している。組立体１は容器２を含み、容器２はこの例に於いてはスプレー缶の如きそれ自身公知の缶よりなっている。この組立体は更に容器２の外側に配置された出口部材４を含んでいる。
【００１９】
出口部材４は容器の外側に設けられている。この例に於いては、出口部材４はスプレー缶の上端に配置されたそれ自身公知のプッシュボタンを含んでいる。従って出口部材４は容器の外側に於いて出口部材を開閉するそれ自身公知の遮断弁６を含んでいる。遮断弁６は出口部材４のプッシュボタン８が押圧されると開弁される。容器２の内部空間１０はこの例に於いては液体よりなる流体１２にて部分的に充填されている。この流体は供給されるべき製品である。内部空間１０は例えば９０％まで液体１２にて充填される。内部空間１０の残りの空間には例えば窒素の如き不活性のガス１４が存在する。推進剤として作用する不活性のガス１４により、プッシュボタン８が駆動された場合に出口部材４を経て液体１２を供給するための高圧が容器の内部空間に形成される。
【００２０】
更に出口部材４には液体１２を霧化するための孔２０が設けられている。使用時にプッシュボタン８が駆動されると、容器２内の圧力により液体１２が導管１６を経て出口部材４へ導かれ、液体は出口部材より孔２０を経て霧化された状態にて噴霧される。従って上述の如く組立体はそれ自身公知のスプレー缶として作動する。
【００２１】
しかし本発明によれば、組立体は更に推進剤１４により発生される容器２の内部空間１０内の圧力とは独立に該圧力よりも低い所定の一定の圧力にて圧力制御装置を経て入口へ流体１２（この例に於いては液体）を供給する圧力制御装置２２を含んでいる。圧力制御装置は導管１６’（所謂ディップチューブ）を経て容器２の内部空間１０と流体の流通可能に接続されている。この例に於いては、導管１６’は容器２の底１８に隣接する位置まで延在している。従って圧力制御装置は出口部材４とディップチューブ１６’との間に配置されている。更に圧力制御装置は出口部材の近傍に配置されている。また圧力制御装置は出口部材に接続されている。出口部材及び圧力制御装置は容器２の上端側に配置されている。
【００２２】
この例に於いては、流入口２６は導管、即ちディップチューブ１６′の開口端に接続されている。導管１６′の他方の開口端は容器２の底１８に近接した位置に配置されている。
【００２３】
圧力制御装置２２の一つの可能な実施の形態が図２に示されている。圧力制御装置２２は流入口２６と、流出口部材２８と、流入口２６と流出口部材２８との間にてハウジング２４内に延在する流体通路３０とを含むハウジング２４を含んでいる。この例に於いては、流体通路３０は破線にて示されている。
【００２４】
流入口２６は容器の内部空間と流体の流通可能に接続されている。流出口部材２８は出口部材４と流体の流通可能に接続されている。この例に於いては、流出口部材２８は容器２の外側に配置された出口部材４に接続されている。
【００２５】
圧力制御装置２２は更に流体通路３０を開閉する制御可能なシール３２を含んでいる。
【００２６】
圧力制御装置は更に第一の位置と第二の位置との間に移動可能にハウジング内に配置された圧力センサ要素３４を含んでいる。図２に於いては、圧力センサ要素３４は第一の位置にある。この例に於いては、圧力センサ要素３４は圧力制御装置２２内に形成された室部材３８内に配置されたプランジャ３６を含んでいる。この例に於いては、室部材３８は円筒形である。プランジャは第一の位置と第二の位置との間に軸線方向４０に移動可能に室部材３８内に配置されている。プランジャは流入口より流出口部材へ至る方向３９（この例に於いては上下方向である）と平行な方向に沿って第一の位置と第二の位置との間に移動可能である。
【００２７】
プランジャ３６及び室部材３８により郭定された空間４２は所定の力を発生してプランジャ３６を第一の方向へ付勢するためのガスにて充填されている。この例に於いては、空間４２内の所定のガス圧は大気圧よりも高い。図２の例に於いては、この方向は垂直下向きである。
【００２８】
圧力制御装置は更に通路４６が形成されたブッシュ形部材４４を含んでいる。流体通路３０は通路４６を通って延在している。通路４６の開いた下側４８は流入口２６と連通している。通路４６の開いた上側５０はこの例に於いては二つの孔５２を経て流出口部材２８と流体の流通可能に接続されており、二つの孔５２は室部材３８の側壁５４に設けられている。プランジャ３６が第一及び第二の何れの位置にあるときにも、孔５２はプランジャ３６の下側に位置する。即ち孔５２は室部材３８及びプランジャ３６により郭定された空間４２の外側に位置する。
【００２９】
この例に於いては、圧力制御装置は通路４６内に配置されたゴムリング５６の如きシール要素を含んでいる。ゴムリングはハウジングに取り付けられており、特にこの例に於いては通路４６の内壁に取り付けられている。制御可能なシールはプランジャ３６及び室部材３８により郭定された空間４２の外側に於いてプランジャ３６と接続された棒状の要素５８を含んでいる。この例に於いては、棒状の要素５８はゴムリング５６を貫通して延在し、その下側にノブ６０が設けられている。第一の位置に於いては、ノブ６０及びゴムリング５６は互いに隔置されて流体通路３０を開く。図２に於いて、プランジャ３６が上下方向上向きに移動すると、プランジャ３６は第一の位置より第二の位置へ移動する。従ってノブ６０も同様に上方へ移動し、プランジャ３６がその第二の位置に到達すると、ノブ６０はゴムリング５６の下側に当接し、流体通路３０を閉ざす。即ちノブ６０が上方へ移動しゴムリング５６に当接すると、プランジャ３６はその第二の位置に到達する。
【００３０】
またプランジャ３６は、制御可能なシール３２、６０の位置に於ける流体通路に平行な方向３９に沿って第一の位置と第二の位置との間に移動可能である。また制御可能なシール３２、６０もそのシールの位置に於ける流体通路に平行な方向３９に沿って第一の位置と第二の位置との間に移動可能である。このことは、シール若しくはプランジャの位置に於いて流体の流れより作用する力によっては、プランジャ若しくは制御可能なシールの移動時にもプランジャ若しくは制御可能なシールとハウジングとの間に摩擦が発生されないという利点を有する。また棒状の要素５８も該棒状の要素５８に沿う流体通路の方向と平行な方向３９に沿って第一の位置と第二の位置との間に移動可能である。このことも上述の利点と同一の利点を有する。シールリング６８の如きシール要素がプランジャと室部材３８の内壁７０との間に設けられている。シールリング６８はそれが室部材に対し相対的に移動可能であるようプランジャ３６に取り付けられている。尚シールリング６８はゴム製のシールリングであってよい。
【００３１】
プランジャ３６の下側６１は制御可能なシール３２よりも下流側の流体通路内の圧力、即ち流出口部材２８に於ける圧力に曝されている。これに対しプランジャ３６の上側６３は空間４２内の所定の圧力に曝されている。この所定の圧力はプランジャ３６を第一の位置の方向へ付勢する所定の力を発生する。逆に流出口部材２８に於ける圧力はプランジャ３６を第二の位置の方向へ付勢する。従って圧力センサ要素（プランジャ３６）は、シールよりも下流側の流体通路内の圧力が所定の力により決定される圧力よりも低い圧力に低下すると、第一の位置の方向へ移動する。更に圧力センサ要素（プランジャ３６）は、シール３２よりも下流側の流体通路内の圧力が所定の力により決定される圧力よりも高い圧力に上昇すると、第二の位置の方向へ移動する。
【００３２】
以上の構成により、圧力制御装置は以下の如く作動する。容器２内の圧力は、液体１２が出口部材４を経て供給される際の所定の圧力よりも高い。出口部材４が開かれると、液体１２はディップチューブ１６及び流入口２６を経て圧力制御装置２２へ流入する。次いで液体１２は流体通路３０を経て流出口部材２８へ流れる。液体１２は流出口部材２８を経て出口部材４へ流れる。
【００３３】
流出口部材２８に於ける液体１２の圧力が所定の好ましい圧力よりも高くなると、プランジャ３６の下側６１に於ける液体の圧力も所定の値よりも高くなる。この例に於いては、液体１２が出口部材４へ供給される際の所定の一定の圧力は空間４２内の圧力に等しい。従ってプランジャ３６は上方へ移動される。結局空間４２内の圧力はプランジャ３６の下側６１に於ける圧力よりも低くなる。従ってプランジャは第一の位置より第二の位置の方向へ移動する。プランジャ３６は第二の位置又はその近傍に於いてシール３２、６０、５６が流体通路３０を閉ざすようシールを制御する。流体通路３０が閉ざされる過程に於いて流出口部材２８に於ける液体の圧力が低下する。この圧力の低下は流出口部材２８に於ける圧力が空間４２内の圧力に等しくなるまで継続する。流出口部材２８に於ける液体１２の圧力が空間４２内の圧力よりも低い圧力に低下しそうになると、プランジャ３６は再度第一の位置の方向へ移動しようとする。従ってシール３２はそれが僅かに開かれるよう制御される。シール３２が再度開かれると、プランジャ３６が上昇する圧力により再度上方へ移動されてシール３２が再度閉ざされるまで流出口部材２８に於ける圧力が再度上昇する。この工程は継続的に行われ、最終的には平衡状態に到達し、流出口部材２８に於ける液体１２の圧力は、室部材３８内の所定の圧力により決定されプランジャの上側６３に所定の力を及ぼす所定の値になる。
【００３４】
容器２に充填される流体１２がガスである場合には、導管１６は省略されてよい。その場合にはガス１２は流入口２６を経て直接圧力制御装置２２に流れ、所定の圧力にて出口部材４へ供給される。また気体状の流体１２はそれ自身が圧力を発生するので、推進剤は省略されてもよい。
【００３５】
図１の（ｂ）は本発明による組立体の第二の実施の形態を示している。尚図１の（ａ）に対応する部材には同一の符号が付されている。この例に於いては、圧力制御装置２２は容器２の外側に設けられている。この例に於いては、圧力制御装置２２の流入口２６は導管１６を経て容器の内部空間１０と流体の流通可能に接続されている。図１の（ａ）について上述した如く、導管１６は容器２の底１８に近接した位置まで延在している。この例に於ける出口部材４は圧力制御装置２２の流出口部材２８の周りに設けられたカラー６４により形成されている。カラー６４は更に流出口部材２８を開閉する遮断弁を含んでいてよい。
【００３６】
容器２は液体の形態をなす流体１２にて充填されてもよい。その場合の作動は図１の（ａ）及び（ｂ）に関連して上述したものと同一である。流出口部材２８が開かれると、液体１２は容器２内の圧力により導管１６を経て圧力制御装置２２の流入口２６へ流れる。次いで液体１２は流出口部材２８を経て前記所定の圧力にて圧力制御装置２２より流出する。流体は図１の（ａ）及び（ｂ）に関連して上述した如く粘性の液体であってもよい。しかし特に流体が窒素の如きガスである場合には、窒素の圧力は前述の如く比較的高い。従ってその場合には導管１６は省略され、圧力制御装置２２の流入口２６は容器の内部空間１０と直接流体の流通可能に接続されてよい。またその場合にはカラー６４は例えばゴムホースを介してビールを供給するそれ自身公知の装置に接続されてよい。このビールを供給するそれ自身公知の装置は好ましくは一定の圧力の不活性のガスにて充填されなければならない。図１の（ｂ）に示された組立体はこの不活性のガスを所定の一定の圧力にて供給することができる。また多量の窒素が供給され、その結果として容器２は部分的に空の状態になっても、窒素は所定の一定の圧力にて供給され、従って一定の量のビールを供給することができる。
【００３７】
本発明は上述の実施の形態に限定されるものではない。圧力センサ要素／プランジャ３４に作用する所定の力は、図２に於いて破線にて示されている如く、ばね６６により発生されてもよい。シール要素５６は、プランジャが第一の位置と第二の位置との間に移動すると流体通路を開閉するよう、棒状の要素５８に取付けられ、通路４６の内壁の窪み内にて移動可能であってもよい。
【００３８】
本願に於いては、「流体」はクリーム、ペースト、ゲル、粉末物質、それらの組合せを含むものを意味する。これらの修正は本発明の範囲内に属する。
【図面の簡単な説明】
【図１】  （ａ）は本発明による組立体の第一の可能な実施の形態を示し、（ｂ）は本発明による組立体の第二の可能な実施の形態を示している。
【図２】  図１の（ａ）及び（ｂ）に示された組立体の圧力制御装置の可能な実施の形態である。
【符号の説明】
１…組立体
２…容器
４…出口部材
１０…内部空間
１２…流体（液体）
１４…不活性のガス
２２…圧力制御装置
２４…ハウジング
２６…流入口
２８…流出口部材
３０２…流体通路
３２…制御可能なシール
３４…圧力センサ要素
３６…プランジャ
３８…室部材
４２…空間
５６…ゴムリング
５８…棒状の要素
【図１】
0004472227.tif 000002
【図２】
0004472227.tif 000003